【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
第１の平面円形構造と；
前記第１の平面円形構造の中心に位置する放射素子と；
前記放射素子の周りに、輪郭上に位置する１つまたは複数の第１の寄生素子と、なお、前記１つまたは複数の第１の寄生素子は、前記放射素子と並行方向に位置合わせされ、前記１つまたは複数の第１の寄生素子は、前記第１の平面円形構造から突き出ている；
１つまたは複数の第１のスイッチと、なお、前記１つまたは複数の第１のスイッチの各第１のスイッチは、前記１つまたは複数の第１の寄生素子の対応する寄生素子をグラウンドから分離しており、前記第１のスイッチの各々は、前記対応する寄生素子をグラウンドから選択的に切断するように構成される；
を具備するアンテナ。
【請求項２】
前記対応する寄生素子は、前記第１のスイッチが前記対応する寄生素子とグラウンドとを接続するときに、反射器として機能する、請求項１に記載のアンテナ。
【請求項３】
前記対応する寄生素子は、前記第１のスイッチが前記寄生素子をグラウンドから切断するときに、導波器として機能する、請求項１に記載のアンテナ。
【請求項４】
前記対応する寄生素子は、前記第１のスイッチが前記対応する寄生素子と、リアクティブ負荷と、グラウンドとを接続するときに、位相差を有する反射器として機能する、請求項１に記載のアンテナ。
【請求項５】
前記アンテナは、ダイポールアンテナであり、前記第１の平面円形構造は、非導電材料を含み、前記放射素子および前記１つまたは複数の第１の寄生素子の各々は、両方向において、前記第１の平面円形構造から垂直に突き出ている、請求項１に記載のアンテナ。
【請求項６】
前記アンテナは、モノポールアンテナであり、前記第１の平面円形構造は、グラウンドに結合された導電材料を含み、前記放射素子および前記１つまたは複数の第１の寄生素子の各々は、１つの方向において、前記第１の平面円形構造から垂直に突き出ている、請求項１に記載のアンテナ。
【請求項７】
前記１つまたは複数の第１のスイッチは、個別の数の切替可能なビームを生成するために、前記１つまたは複数の第１の寄生素子のサブセットをグラウンドから選択的に切断することによって、３６０度の方位角にわたる前記アンテナのアクティブビーム操縦制御を可能にする、請求項１に記載のアンテナ。
【請求項８】
前記第１の平面円形構造に垂直に積み重ねられた第２の平面円形構造と、なお、前記第１の平面円形構造から突き出ている前記１つまたは複数の第１の寄生素子の数と同数の１つまたは複数の第２の寄生素子が、前記第２の平面円形構造から突き出ている；
１つまたは複数の第２のスイッチと、なお、各第２のスイッチは、前記１つまたは複数の第１のスイッチの特定の第１のスイッチに対応し、前記１つまたは複数の第２の寄生素子の対応する第２の寄生素子をグラウンドから選択的に分離し、前記特定の第１のスイッチと同様の構成を有する；
をさらに具備する、請求項１に記載のアンテナ。
【請求項９】
前記アンテナは、電磁信号を送信することおよび電磁信号を受信することが可能である、請求項１に記載のアンテナ。
【請求項１０】
前記アンテナは、前記放射素子の単一のポートにおいて供給される、請求項１に記載のアンテナ。
【請求項１１】
前記第１の平面円形構造および前記第２の平面円形構造は、主放射ビームの仰角の制御を可能にする、素子間の調整可能な位相差を有するフェーズドアレイの前記素子として供給され、請求項８に記載のアンテナ。
【請求項１２】
アンテナにおいて、１つまたは複数のスイッチの第１のスイッチを使用して、前記アンテナの１つまたは複数の寄生素子の特定の寄生素子を、リアクティブ負荷およびグラウンドに選択的に接続することを具備し、
前記１つまたは複数のスイッチの各スイッチは、前記１つまたは複数の寄生素子の対応する寄生素子をグラウンドから分離し、
前記１つまたは複数の寄生素子は、前記アンテナの放射素子の周りに、輪郭上に位置し、
前記放射素子は、前記アンテナの平面円形構造の中心に位置し、
前記１つまたは複数の寄生素子は、前記放射素子と並行方向に位置合わせされ、
前記１つまたは複数の寄生素子は、前記平面円形構造から突き出ており、
前記特定の寄生素子は、前記特定の寄生素子と、グラウンドと、前記リアクティブ負荷とが接続されるときに、位相差を有する反射器として機能する、方法。
【請求項１３】
前記第１のスイッチを使用して、前記特定の寄生素子をグラウンドに選択的に接続することと、前記特定の寄生素子を前記リアクティブ負荷から選択的に切断することをさらに具備し、前記特定の寄生素子は、前記特定の寄生素子がグラウンドに接続され、前記特定の寄生素子が前記リアクティブ負荷から切断されるときに、位相差を有さない反射器として機能する、請求項１２に記載の方法。
【請求項１４】
前記第１のスイッチを使用して、前記特定の寄生素子をグラウンドから選択的に切断することと、前記特定の寄生素子を前記リアクティブ負荷から切断することとをさらに具備し、前記特定の寄生素子は、前記特定の寄生素子がグラウンドから切断され、前記特定の寄生素子が前記リアクティブ負荷から切断されるときに、導波器として機能する、請求項１２に記載の方法。
【請求項１５】
コンピュータ実行可能命令を用いて符号化された非一時的なコンピュータ可読媒体であって、前記命令は、プロセッサによって実行されると、前記プロセッサに、
アンテナにおいて、前記アンテナの１つまたは複数の第１のスイッチの特定のスイッチを使用して、前記アンテナの１つまたは複数の第１の寄生素子の特定の寄生素子を、グラウンドから選択的に切断させ、
前記１つまたは複数の第１のスイッチの各第１のスイッチは、前記１つまたは複数の第１の寄生素子の対応する寄生素子をグラウンドから分離し、
前記１つまたは複数の第１の寄生素子は、前記アンテナの放射素子の周りに、輪郭上に位置し、
前記放射素子は、前記アンテナの第１の平面円形構造の中心に位置し、
前記１つまたは複数の第１の寄生素子は、前記放射素子と並行方向に位置合わせされ、
前記１つまたは複数の第１の寄生素子は、前記第１の平面円形構造から突き出ており、
第２の平面円形構造は、前記第１の平面円形構造に垂直に積み重ねられており、
前記第１の平面円形構造から突き出ている前記１つまたは複数の第１の寄生素子の数と同数の１つまたは複数の第２の寄生素子が、前記第２の平面円形構造から突き出ており、
１つまたは複数の第２のスイッチの各第２のスイッチは、前記１つまたは複数の第１のスイッチの特定の第１のスイッチに対応し、前記１つまたは複数の第２の寄生素子の対応する第２の寄生素子をグラウンドから分離し、特定の第１のスイッチと同様の構成を有する、非一時的なコンピュータ可読媒体。
【請求項１６】
前記第１の円形平面構造および前記第２の円形平面構造は、主放射ビームの仰角の制御を可能にする、前記素子間の調整可能な位相差を有するフェーズドアレイの素子として供給され、請求項１５に記載の非一時的なコンピュータ可読媒体。
【請求項１７】
前記特定のスイッチを使用して、前記特定の寄生素子をグラウンドに選択的に接続することと、前記特定の寄生素子をリアクティブ負荷から選択的に切断することとをさらに具備し、前記特定の寄生素子は、前記特定の寄生素子がグラウンドに接続され、前記特定の寄生素子が前記リアクティブ負荷から切断されるときに、位相差を有さない反射器として機能する、請求項１５に記載の非一時的なコンピュータ可読媒体。
【請求項１８】
前記特定のスイッチを使用して、前記特定の寄生素子を前記リアクティブ負荷から切断することをさらに具備し、前記特定の寄生素子は、前記特定の寄生素子がグラウンドから切断され、前記特定の寄生素子が前記リアクティブ負荷から切断されるときに、導波器として機能する、請求項１５に記載の非一時的なコンピュータ可読媒体。
【請求項１９】
前記特定のスイッチを使用して、前記特定の寄生素子をグラウンドに選択的に接続することと、前記特定の寄生素子をリアクティブ負荷に接続することとをさらに具備し、前記特定の寄生素子は、前記特定の寄生素子と、グラウンドと、前記リアクティブ負荷とが接続されるときに、位相差を有する反射器として機能する、請求項１５に記載の非一時的なコンピュータ可読媒体。
【請求項２０】
アンテナにおいて、前記アンテナの１つまたは複数の第１のスイッチの特定のスイッチを使用して、前記アンテナの１つまたは複数の第１の寄生素子の特定の寄生素子を、グラウンドから選択的に切断するための手段を具備し、
前記１つまたは複数の第１のスイッチの各第１のスイッチは、前記１つまたは複数の第１の寄生素子の対応する寄生素子をグラウンドから分離し、
前記１つまたは複数の第１の寄生素子は、前記アンテナの放射素子の周りに、輪郭上に位置し、
前記放射素子は、前記アンテナの第１の平面円形構造の中心に位置し、
前記１つまたは複数の第１の寄生素子は、前記放射素子と並行方向に位置合わせされ、
前記１つまたは複数の第１の寄生素子は、前記第１の平面円形構造から突き出ており、
第２の平面円形構造は、前記第１の平面円形構造に垂直に積み重ねられており、
前記第１の平面円形構造から突き出ている前記１つまたは複数の第１の寄生素子の数と同数の１つまたは複数の第２の寄生素子が、前記第２の平面円形構造から突き出ており、
１つまたは複数の第２のスイッチの各第２のスイッチは、前記１つまたは複数の第１のスイッチの特定の第１のスイッチに対応し、前記１つまたは複数の第２の寄生素子の対応する第２の寄生素子をグラウンドから分離し、前記特定の第１のスイッチと同様の構成を有する、装置。
【請求項２１】
前記第１の円形平面構造および前記第２の円形平面構造は、主放射ビームの仰角の制御を可能にする、前記素子間の調整可能な位相差を有するフェーズドアレイの素子として供給される、請求項２０に記載の装置。
【請求項２２】
前記特定のスイッチを使用して、前記特定の寄生素子をグラウンドに選択的に接続することと、前記特定の寄生素子を前記リアクティブ負荷から選択的に切断することとをさらに具備し、前記特定の寄生素子は、前記特定の寄生素子がグラウンドに接続され、前記特定の寄生素子が前記リアクティブ負荷から切断されるときに、位相差を有さない反射器として機能する、請求項２０に記載の装置。
【請求項２３】
前記特定のスイッチを使用して、前記特定の寄生素子をリアクティブ負荷から選択的に切断することをさらに具備し、前記特定の寄生素子は、前記特定の寄生素子がグラウンドから切断され、前記特定の寄生素子が前記リアクティブ負荷から切断されるときに、導波器として機能する、請求項２０に記載の装置。
【請求項２４】
前記特定のスイッチを使用して前記特定の寄生素子をグラウンドに選択的に接続することと、前記特定の寄生素子をリアクティブ負荷に選択的に接続することとをさらに具備し、前記特定の寄生素子は、前記特定の寄生素子と、グラウンドと、前記リアクティブ負荷が接続されるときに、位相差を有する反射器として機能する、請求項２０に記載の装置。
【手続補正２】
【補正対象書類名】明細書
【補正対象項目名】００７９
【補正方法】変更
【補正の内容】
【００７９】
請求項は、上記に例示された明確な構成および構成要素に限定されないことが理解されるべきである。様々な修正、変更、および変形が、ここに説明されたシステム、方法、および装置の配置、オペレーションおよび詳細において、請求項の範囲から逸脱することなく行われうる。
以下に本願発明の当初の特許請求の範囲に記載された発明を付記する。
［Ｃ１］  平面円形構造と；
前記平面円形構造の中心に位置する放射素子と；
前記放射素子の周りに、輪郭上に位置する１つまたは複数の寄生素子と、なお、前記１つまたは複数の寄生素子は、前記放射素子と並行方向に位置合わせされ、前記１つまたは複数の寄生素子は、前記平面円形構造から突き出ている；
前記１つまたは複数の寄生素子の各々をグラウンドから分離しているスイッチと、なお、第１のポジションにおけるスイッチは、寄生素子とグラウンドとの間にショートを作成し、第２のポジションにおけるスイッチは、前記寄生素子とグラウンドとの間に開回路を作成する；
を具備するアンテナ。
［Ｃ２］  任意の前記１つまたは複数の寄生素子は、前記寄生素子とグラウンドとの間の前記スイッチが前記第１のポジションにあるときに、反射器として機能する、Ｃ１に記載のアンテナ。
［Ｃ３］  任意の前記１つまたは複数の寄生素子は、前記寄生素子とグラウンドとの間の前記スイッチが前記第２のポジションにあるときに、導波器として機能する、Ｃ１に記載のアンテナ。
［Ｃ４］  第３のポジションにおけるスイッチは、前記寄生素子と、リアクティブ負荷と、グランドとの間に閉回路を作成し、任意の前記１つまたは複数の寄生素子は、前記スイッチが前記第３のポジションにあるときに、位相差を有する反射器として機能する、Ｃ１に記載のアンテナ。
［Ｃ５］  前記アンテナは、ダイポールアンテナであり、前記平面円形構造は、非導電材料であり、前記放射素子および前記寄生素子の各々は、両方向において、前記平面円形構造から垂直に突き出ている、Ｃ１に記載のアンテナ。
［Ｃ６］  前記アンテナは、モノポールアンテナであり、前記平面円形構造は、グラウンドに結合された導電材料であり、前記放射素子および前記寄生素子の各々は、１つの方向において、前記平面円形構造から垂直に突き出ている、Ｃ１に記載のアンテナ。
［Ｃ７］  ３６０度の方位角にわたる前記アンテナのアクティブビーム操縦制御は、前記寄生素子とグラウンドとの間の前記第１および第２のポジションにおけるスイッチの構成を変更することによって達成され、アクティブビーム操縦制御は、個別の数の切替可能なビームを生成する、Ｃ１に記載のアンテナ。
［Ｃ８］  前記アンテナに垂直に積み重ねられた１つまたは複数の同様のアンテナをさらに具備し、なお、前記同様のアンテナは、前記アンテナと同数の寄生素子を有し、前記同様のアンテナの各々は、前記アンテナと同じ、寄生素子とグラウンドとの間の前記第１および第２のポジションにおけるスイッチの構成を有する、Ｃ１に記載のアンテナ。
［Ｃ９］  前記アンテナは、電磁信号を送信することおよび電磁信号を受信することが可能である、Ｃ１に記載のアンテナ。
［Ｃ１０］  前記アンテナは、前記放射素子の単一のポートにおいて供給され、前記アンテナは、パワー分割回路を有していない、Ｃ１に記載のアンテナ。
［Ｃ１１］  前記積み重ねられたアンテナは、素子間の調整可能な位相差を有するフェーズドアレイの前記素子として供給され、主放射ビームの仰角の制御を可能にしている、Ｃ８に記載のアンテナ。
［Ｃ１２］  ビーム操縦のために構成された無線通信デバイスであって、
垂直に積み重ねられた２つ以上の１次元スイッチトビームアンテナと；
プロセッサと；
前記プロセッサと電子通信状態にあるメモリと；
前記メモリ中に記憶された命令と;
を具備し、
前記命令は、
１つまたは複数の寄生素子を反射器として機能するように切替える、なお、任意の前記１つまたは複数の寄生素子は、寄生素子とグラウンドとの間のスイッチが第１のポジションにあり、前記寄生素子がグラウンドにショートされるときに、反射器として機能する；
反射器として機能していない前記寄生素子を導波器として機能するように切替える、なお、任意の前記寄生素子は、前記寄生素子とグラウンドとの間の前記スイッチが第２のポジションにあり、前記寄生素子とグラウンドとの間に開回路を作成しているときに、導波器として機能する；
ビームを形成するために、各１次元スイッチトビームアンテナ上の放射素子に送信信号ストリームを供給する；
３６０度の方位角にわたって各１次元スイッチトビームアンテナの方向を操縦するために、反射器および導波器として機能している前記寄生素子の構成を調整する；および
仰角において、前記垂直に積み重ねられた２つ以上の１次元スイッチトビームアンテナの方向を操縦するために、前記２つ以上の１次元スイッチトビームアンテナ上の前記放射素子に供給される各送信信号ストリーム間の位相差を調整する；
ために前記プロセッサによって実行可能である、無線通信デバイス。
［Ｃ１３］  前記命令は、１つまたは複数の前記寄生素子を、位相差を有する反射器として機能するように切替えるために、前記プロセッサによってさらに実行可能であり、なお、任意の前記寄生素子は、前記寄生素子とグラウンドとの間の前記スイッチが第３のポジションにあり、前記寄生素子と、受動回路の一部としてのリアクティブ負荷と、グランドとの間に閉回路を作成しているときに、位相差を有する反射器として機能する、Ｃ１２に記載の無線通信デバイス。
［Ｃ１４］  各１次元スイッチトビームアンテナは、
平面円形構造と；
前記平面円形構造の中心に位置する放射素子と；
前記放射素子の周りに、輪郭上に位置する１つまたは複数の前記寄生素子と、なお、前記寄生素子は、前記放射素子と並行方向に位置合わせされ、前記寄生素子は、前記平面円形構造から突き出ている；
前記１つまたは複数の寄生素子の各々をグラウンドから分離しているスイッチと、なお、前記第１のポジションにおける前記スイッチは、寄生素子とグラウンドとの間にショートを作成し、前記第２のポジションにおける前記スイッチは、前記寄生素子とグラウンドとの間に開回路を作成し、第３のポジションにおけるスイッチは、前記寄生素子と、受動回路の一部としてのリアクティブ負荷と、グランドとの間に閉回路を作成する；
を具備する、Ｃ１２に記載の無線通信デバイス。
［Ｃ１５］  前記垂直に積み重ねられた１次元スイッチトビームアンテナの各々は、反射器として機能している前記寄生素子および導波器として機能している前記寄生素子の同じ構成を使用する、Ｃ１２に記載の無線通信デバイス。
［Ｃ１６］  ビームを形成するために、各１次元スイッチトビームアンテナの各放射素子に信号ストリームを供給することをさらに具備し、なお、前記信号ストリーム間の位相差は、前記ビームの仰角を操縦して、仰角において前記ビームの放射パターンを制御する、Ｃ１４に記載の無線通信デバイス。
［Ｃ１７］  ビーム操縦のための方法であって、前記方法は、
１つまたは複数の寄生素子を反射器として機能するように切替えることと、なお、任意の前記１つまたは複数の寄生素子は、前記寄生素子とグラウンドとの間のスイッチが第１のポジションにあり、前記寄生素子がグラウンドにショートされるときに、反射器として機能する；
反射器として機能していない前記寄生素子を導波器として機能するように切替えることと、なお、任意の前記寄生素子は、前記寄生素子とグラウンドとの間の前記スイッチが第２のポジションにあり、前記寄生素子とグラウンドとの間に開回路を作成しているときに、導波器として機能する；
３６０度の方位角にわたって各１次元スイッチトビームアンテナの方向を操縦するために、反射器および導波器として機能している前記寄生素子を調整することと；
を具備する方法。
［Ｃ１８］  １つまたは複数の前記寄生素子を、位相差を有する反射器として機能するように切替えことをさらに具備し、なお、任意の前記寄生素子は、前記寄生素子とグラウンドとの間の前記スイッチが第３のポジションにあり、前記寄生素子と、受動回路の一部としてのリアクティブ負荷と、グランドとの間に閉回路を作成しているときに、位相差を有する反射器として機能する、Ｃ１７に記載の方法。
［Ｃ１９］  ２つ以上の１次元スイッチトビームアンテナを垂直に積み重ねることをさらに具備する、Ｃ１７に記載の方法。
［Ｃ２０］  ビームを形成するために、前記垂直に積み重ねられた２つ以上の１次元スイッチトビームアンテナ上の放射素子に送信信号ストリームを供給することをさらに具備し、なお、前記送信信号ストリーム間の位相差は、前記ビームの仰角を操縦して、前記ビームのパターンを制御する、Ｃ１９に記載の方法。
［Ｃ２１］  前記垂直に積み重ねられた２つ以上の１次元スイッチトビームアンテナ上の放射素子に送信信号ストリームを供給することと、仰角において、前記垂直に積み重ねられた２つ以上の１次元スイッチトビームアンテナの方向を操縦するために、前記垂直に積み重ねられた２つ以上の１次元スイッチトビームアンテナ上の前記放射素子に供給される前記送信信号ストリーム間の位相差を調整することとをさらに具備する、Ｃ１９に記載の方法。
［Ｃ２２］  前記垂直に積み重ねられた１次元スイッチトビームアンテナの各々は、反射器として機能している前記寄生素子および導波器として機能している前記寄生素子の同じ構成を使用する、Ｃ１９に記載の方法。
［Ｃ２３］  前記２次元アンテナの信号をデジタルで組み合わせることをさらに具備する、Ｃ２０に記載の方法。
［Ｃ２４］  ビーム操縦のために構成された無線通信デバイスであって、
１つまたは複数の寄生素子を反射器として機能するように切替えるための手段と、なお、任意の前記１つまたは複数の寄生素子は、前記寄生素子とグラウンドとの間のスイッチが第１のポジションにあり、前記寄生素子がグラウンドにショートされるときに、反射器として機能する；
反射器として機能していない前記寄生素子を導波器として機能するように切替えるための手段と、なお、任意の前記寄生素子は、前記寄生素子とグラウンドとの間の前記スイッチが第２のポジションにあり、前記寄生素子とグラウンドとの間に開回路を作成しているときに、導波器として機能する；
垂直フェーズドアレイを形成するために、２つ以上の１次元ビームアンテナを垂直に積み重ねるための手段と；
前記垂直に積み重ねられた２つ以上の１次元スイッチトビームアンテナ上の放射素子に送信信号ストリームを供給するための手段と；
３６０度の方位角にわたって各１次元スイッチトビームアンテナの方向を操縦するために、反射器および導波器として機能している前記寄生素子の構成を調整するための手段と；
仰角において、前記２つ以上の１次元スイッチトビームアンテナの方向を操縦するために、前記垂直フェーズドアレイを形成する前記２つ以上の１次元スイッチトビームアンテナに供給される前記送信信号ストリーム間の位相差を調整するための手段と；
を具備する無線通信デバイス。
［Ｃ２５］  前記垂直に積み重ねられた２つ以上の１次元スイッチトビームアンテナの各々から受信される信号を組み合わせ、処理するための手段をさら具備する、Ｃ２４に記載の無線通信デバイス。
［Ｃ２６］  前記垂直に積み重ねられた２つ以上の１次元スイッチトビームアンテナの各々によって送信される信号を分割し、処理するための手段をさらに具備する、Ｃ２４に記載の無線通信デバイス。
［Ｃ２７］  コンピュータ実行可能命令を用いて符号化されたコンピュータ可読媒体であって、
前記コンピュータ実行可能命令の実行は、
１つまたは複数の寄生素子を反射器として機能するように切替えることと、なお、任意の前記１つまたは複数の寄生素子は、前記寄生素子とグラウンドとの間のスイッチが第１のポジションにあり、前記寄生素子がグラウンドにショートされるときに、反射器として機能する；
反射器として機能していない前記寄生素子を導波器として機能するように切替えることと、なお、任意の前記寄生素子は、前記寄生素子とグラウンドとの間の前記スイッチが第２のポジションにあり、前記寄生素子とグラウンドとの間に開回路を作成しているときに、導波器として機能する；
２つ以上の垂直に積み重ねられた１次元スイッチトビームアンテナ上の放射素子に送信信号ストリームを供給することと；
３６０度の方位角にわたって各垂直に積み重ねられた１次元スイッチトビームアンテナの方向を操縦するために、反射器および導波器として機能している前記寄生素子の構成を調整することと；
仰角において、前記垂直に積み重ねられた２つ以上の１次元スイッチトビームアンテナの方向を操縦するために、前記２つ以上の垂直に積み重ねられた１次元スイッチトビームアンテナ上の前記放射素子に供給される前記送信信号ストリーム間の位相差を調整することと；
のためのものである、コンピュータ可読媒体。
［Ｃ２８］  ビーム操縦のために構成された無線通信デバイスであって、
垂直に積み重ねられた２つ以上の１次元スイッチトビームアンテナと；
プロセッサと；
前記プロセッサと電子通信状態にあるメモリと；
前記メモリ中に記憶された命令と；
を具備し、
前記命令は、
１つまたは複数の寄生素子を反射器として機能するように切替える、なお、任意の前記１つまたは複数の寄生素子は、寄生素子とグラウンドとの間のスイッチが第１のポジションにあり、前記寄生素子がグラウンドにショートされるときに、反射器として機能する；
反射器として機能していない前記寄生素子を導波器として機能するように切替える、なお、任意の前記寄生素子は、前記寄生素子とグラウンドとの間の前記スイッチが第２のポジションにあり、前記寄生素子とグラウンドとの間に開回路を作成しているときに、導波器として機能する；
各１次元スイッチトビームアンテナ上の放射素子から送信信号ストリームを受信する；
３６０度の方位角にわたって各１次元スイッチトビームアンテナの方向を操縦するために、反射器および導波器として機能している前記寄生素子の構成を調整する；および
仰角において、前記垂直に積み重ねられた２つ以上の１次元スイッチトビームアンテナの方向を操縦するために、前記２つ以上の１次元スイッチトビームアンテナ上の前記放射素子によって受信される各送信信号ストリーム間の位相差を調整する；
ために前記プロセッサによって実行可能である、無線通信デバイス。
［Ｃ２９］  各１次元スイッチトビームアンテナは、
平面円形構造と；
前記平面円形構造の中心に位置する放射素子と；
前記放射素子の周りに、輪郭上に位置する１つまたは複数の前記寄生素子と、なお、前記寄生素子は、前記放射素子と並行方向に位置合わせされ、前記寄生素子は、前記平面円形構造から突き出ている；
前記１つまたは複数の寄生素子の各々をグラウンドから分離しているスイッチと；
を具備する、Ｃ２８に記載の無線通信デバイス。
［Ｃ３０］  前記垂直に積み重ねられた１次元スイッチトビームアンテナの各々は、反射器として機能している前記寄生素子および導波器として機能している前記寄生素子の同じ構成を使用する、Ｃ２８に記載の無線通信デバイス。
［Ｃ３１］  ビーム操縦のために構成された無線通信デバイスであって、
１つまたは複数の寄生素子を反射器として機能するように切替えるための手段と、なお、任意の前記１つまたは複数の寄生素子は、寄生素子とグラウンドとの間のスイッチが第１のポジションにあり、前記寄生素子がグラウンドにショートされるときに、反射器として機能する；
反射器として機能していない前記寄生素子を導波器として機能するように切替えるための手段と、なお、任意の前記寄生素子は、前記寄生素子とグラウンドとの間の前記スイッチが第２のポジションにあり、前記寄生素子とグラウンドとの間に開回路を作成しているときに、導波器として機能する；
各１次元スイッチトビームアンテナ上の放射素子から送信信号ストリームを受信するための手段と；
３６０度の方位角にわたって各１次元スイッチトビームアンテナの方向を操縦するために、反射器および導波器として機能している前記寄生素子の構成を調整するための手段と；
仰角において、前記垂直に積み重ねられた２つ以上の１次元スイッチトビームアンテナの方向を操縦するために、２つ以上の垂直に積み重ねられた１次元スイッチトビームアンテナ上の前記放射素子によって受信される各送信信号ストリーム間の位相差を調整するための手段と；
を具備する無線通信デバイス。
［Ｃ３２］  前記垂直に積み重ねられた２つ以上の１次元スイッチトビームアンテナの各々から受信される信号を組み合わせ、処理するための手段をさら具備する、Ｃ３１に記載の無線通信デバイス。
［Ｃ３３］  ビーム操縦のために構成された無線通信デバイスであって、
前記無線通信デバイスは、コンピュータ実行可能命令を用いて符号化されたコンピュータ可読媒体を有し、前記コンピュータ実行可能命令の実行は、
１つまたは複数の寄生素子を反射器として機能するように切替えることと、なお、任意の前記１つまたは複数の寄生素子は、寄生素子とグラウンドとの間のスイッチが第１のポジションにあり、前記寄生素子がグラウンドにショートされるときに、反射器として機能する；
反射器として機能していない前記寄生素子を導波器として機能するように切替えることと、なお、任意の前記寄生素子は、前記寄生素子とグラウンドとの間の前記スイッチが第２のポジションにあり、前記寄生素子とグラウンドとの間に開回路を作成しているときに、導波器として機能する；
各１次元スイッチトビームアンテナ上の放射素子から送信信号ストリームを受信することと；
３６０度の方位角にわたって各１次元スイッチトビームアンテナの方向を操縦するために、反射器および導波器として機能している前記寄生素子の構成を調整することと；
仰角において、前記垂直に積み重ねられた２つ以上の１次元スイッチトビームアンテナの方向を操縦するために、２つ以上の垂直に積み重ねられた１次元スイッチトビームアンテナ上の前記放射素子によって受信される各送信信号ストリーム間の位相差を調整することと；
のためのものである、無線通信デバイス。